(57)【要約】【課題】  転写手段により小サイズの転写材を通紙するとき、転写位置の非通紙部側へ転写電流の流れ込みにより転写不良が発生する事を防止する。【解決手段】  軸方向に直列配置され絶縁性部材により隔離されて分割された複数の中空円筒形状をなす導電性の芯金部材、及び芯金部材の外周面に形成された半導電性ローラから成る回転可能な二次転写ローラと、芯金部材を接地状態と非接地状態に切り換える複数の導電性の転写電界切換部材と、を有し、転写材の搬送方向に直交する転写材幅信号に対応して、転写電界切換部材の何れかを選択して、半導電性ローラの転写材に接触する部分のみを接地させるように制御する。【選択図】        図４
2006337455.tif 000002
【特許請求の範囲】
【請求項１】
トナー像を形成する画像形成部と、トナー像を担持する中間転写体と、前記画像形成部で形成されたトナー像を前記中間転写体に転写する一次転写手段により転写されたトナー像を転写材に圧接して圧力転写する二次転写手段と、から成る画像形成装置において、
前記二次転写手段は、前記中間転写体を支持するバックアップローラと、前記中間転写体を介して前記バックアップローラを押圧する二次転写ローラと、前記バックアップローラに接続する転写電源とから成り、
軸方向に直列配置され絶縁性部材により隔離されて分割された複数の中空円筒形状をなす導電性の芯金部材、及び前記芯金部材の外周面に形成された半導電性ローラから成る回転可能な二次転写ローラと、
前記芯金部材を接地状態と非接地状態に切り換える複数の導電性の転写電界切換部材と、を有し、
前記転写材の搬送方向に直交する転写材幅信号に対応して、前記転写電界切換部材の何れかを選択して、前記半導電性ローラの前記転写材に接触する部分のみを接地させるように制御することを特徴とする画像形成装置。
【発明の詳細な説明】
【技術分野】
【０００１】
本発明は、複写機、プリンタ、ファクシミリ、及びこれらの機能を併せ持つ電子写真方式を用いた画像形成装置に関わり、特に、像担持体等の表面に担持されたトナー像を転写ローラにより転写材に圧力転写する画像形成装置、及び中間転写体上に形成した複数のカラートナー像を重ね合わせて転写材に転写するカラー画像形成装置に関する。
【背景技術】
【０００２】
像担持体等の表面に担持されたトナー像を加圧転写ローラにより転写材に圧力転写する画像形成装置としては、特許文献１、特許文献２等に記載のものが知られている。
【０００３】
特許文献１の画像形成装置は、誘電体ドラムに加圧転写ローラを圧接配置し、誘電体ドラム及び加圧転写ローラの両端部から荷重をかけて誘電体ドラムと加圧転写ローラ間に挿通させる転写材に所定の圧力を作用させることにより、転写材に誘電体ドラムに形成されたトナー像を圧力転写させるものである。
【０００４】
特許文献２の画像形成装置は、加圧転写ローラを逆クラウン形状に形成し、且つ、加圧転写ローラのトナー像担持体とは反対側に対して、加圧転写ローラよりも長さが短い加圧用バックアップローラを荷重をかけて圧接した状態に配置したものである。
【０００５】
特許文献３の画像形成装置は、プロセス速度の選択、および片面／両面の選択にそれぞれ適応した抵抗値に形成され、選択的に使用される複数の転写ローラを有するものである。
【０００６】
特許文献４の画像形成装置は、転写ベルトに接触し、転写材の大きさの相違に応じて接地状態と非接地状態とを切り換えるベルト接地装置であり、転写材の大きさに応じて転写材よりも外側だけを接地させ、この部分における像担持体への過大な電流の流れ込みを防止し、転写メモリの発生を防止するものである。
【特許文献１】特表昭６０−５００８３１号公報
【特許文献２】特開平７−２２５５２３号公報
【特許文献３】特開２００２−４９２５１号公報
【特許文献４】特開平１１−１０９７６４号公報
【発明の開示】
【発明が解決しようとする課題】
【０００７】
近年、複写機、プリンタ、ファクシミリ、これらの機能を合わせ持つ複合機等の画像形成装置においてカラー化が進み、また重合トナー、小粒径トナーの採用により、転写プロセスにおいても高画質化への要求が大きくなってきている。また、前記画像形成装置の高速化も進んでいる。これらのことに対し、良好な画像を得るためには、中間転写体に圧接する転写材全面に均一な圧力をかけて、転写材上のトナー像を良好に転写させることが必要がある。
【０００８】
特許文献１に記載の装置では、誘電体ドラムに形成されたトナー像を圧力転写させるとき、転写材に作用させる圧力は、トナーを潰して転写材に決着させる必要があるため、一般に数百ｋｇ／ｃｍ2という大きなものである。
【０００９】
特許文献２に記載の装置では、定電流制御によって圧接転写を行う場合、転写材が転写ローラの幅に対して小さい場合には、非通紙部に比べて通紙部の電気抵抗が大きくなるため、通紙部に流れるはずであった電流が非通紙部側に流れ込み、転写不良を発生するという問題がある。
【００１０】
特許文献３に記載の装置では、抵抗値の異なる複数の転写ローラを有することで、全体の電気抵抗を上げ、通紙部と非通紙部の電気抵抗値の差を目視で少なくすることが可能であるが、それでも若干の電流値は非通紙部に流れ込むことと、電気抵抗値が上がるため使用する電源にかなりの負担が掛かるという問題がある。
【００１１】
特許文献４に記載の装置では、導電性フィルムにより転写ベルトを介して像担持体を押圧するもので、転写押圧力が小さく、高速の画像形成時に転写不良を発生する事がある。特に、カラー画像形成装置においては、転写押圧力が小さいと、像担持体上に担持された多層のトナー像の転写性能が低下する。
【００１２】
本発明は、圧力転写する転写手段における小サイズの転写材に転写する時に発生する非通紙部側への転写電流の流れ込みを防止し、転写不良を解消する事を目的とするものである。
【００１３】
また、カラー画像形成時の二次転写において、中間転写体上に形成された多色トナー像を転写材上に良好に転写させることができる画像形成装置を提供することを目的とする。
【課題を解決するための手段】
【００１４】
上記目的は、下記の構成により達成される。
【００１５】
本発明の画像形成装置は、トナー像を形成する画像形成部と、トナー像を担持する中間転写体と、前記画像形成部で形成されたトナー像を前記中間転写体に転写する一次転写手段により転写されたトナー像を転写材に圧接して圧力転写する二次転写手段と、から成る画像形成装置において、前記二次転写手段は、前記中間転写体を支持するバックアップローラと、前記中間転写体を介して前記バックアップローラを押圧する二次転写ローラと、前記バックアップローラに接続する転写電源とから成り、軸方向に直列配置され絶縁性部材により隔離されて分割された複数の中空円筒形状をなす導電性の芯金部材、及び前記芯金部材の外周面に形成された半導電性ローラから成る回転可能な二次転写ローラと、前記芯金部材を接地状態と非接地状態に切り換える複数の導電性の転写電界切換部材と、を有し、前記転写材の搬送方向に直交する転写材幅信号に対応して、前記転写電界切換部材の何れかを選択して、前記半導電性ローラの前記転写材に接触する部分のみを接地させるように制御することを特徴とするものである。
【発明の効果】
【００１６】
請求項１に記載の発明によれば、転写材の搬送方向に直交する転写材幅信号に対応して、切換スイッチの何れかを作動させ、複数の半導電性ローラのうち転写材に接触する部分のみを接地させるように制御すること、及び中間転写体に対向させてバックアップローラを押圧して圧力転写させることにより、各種の転写材のサイズに対して転写するときに発生する非通紙部側への転写電流の流れ込みを防止し、良質な画像が得られる。特に、高速の画像形成時に発生する転写不良の防止に有効である。また、カラー画像形成装置において、像担持体上に担持された多層のトナー像の転写時の転写性能向上に有効である。
【発明を実施するための最良の形態】
【００１７】
以下に本発明を、実施の形態を用いて説明するが、本発明は以下に説明する実施の形態に限られるものではない。
【００１８】
［カラー画像形成装置］
図１は本発明の実施の形態に係るカラー画像形成装置Ａの全体構成を示す断面図である。図２は該カラー画像形成装置Ａの要部を示す断面図である。
【００１９】
このカラー画像形成装置Ａは、タンデム型カラー画像形成装置と称せられるもので、複数組の画像形成部１０Ｙ，１０Ｍ，１０Ｃ，１０Ｋと、ベルト状の中間転写体（トナー像担持体）７、一次転写手段５Ｙ，５Ｍ，５Ｃ，５Ｋ、二次転写手段８から成る中間転写ユニットと、定着装置１１、及び給紙装置２０を有する。
【００２０】
カラー画像形成装置Ａの上部には、画像読取装置Ｂが設置されている。原稿台上に載置された原稿は画像読取装置Ｂの原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段３Ｙ，３Ｍ，３Ｃ，３Ｋに入力される。
【００２１】
イエロー（Ｙ）色の画像を形成する画像形成部１０Ｙは、像担持体１Ｙの周囲に配置された帯電手段２Ｙ、露光手段３Ｙ、現像手段４Ｙ及びクリーニング手段６Ｙを有する。
【００２２】
マゼンタ（Ｍ）色の画像を形成する画像形成部１０Ｍは、像担持体１Ｍ、帯電手段２Ｍ、露光手段３Ｍ、現像手段４Ｍ及びクリーニング手段６Ｍを有する。
【００２３】
シアン（Ｃ）色の画像を形成する画像形成部１０Ｃは、像担持体１Ｃ、帯電手段２Ｃ、露光手段３Ｃ、現像手段４Ｃ及びクリーニング手段６Ｃを有する。
【００２４】
黒（Ｋ）色の画像を形成する画像形成部１０Ｋは、像担持体１Ｋ、帯電手段２Ｋ、露光手段３Ｋ、現像手段４Ｋ及びクリーニング手段６Ｋを有する。
【００２５】
帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。
【００２６】
像担持体１Ｙ，１Ｍ，１Ｃ，１Ｋとしては、ＯＰＣ感光体やａＳｉ感光体等の周知のものが用いられるが、ＯＰＣ感光体が好ましく、特に、負帯電性のＯＰＣ感光体が好ましく本実施の形態では、負帯電性のＯＰＣが用いられる。
【００２７】
帯電手段２Ｙ，２Ｍ，２Ｃ，２Ｋとしては、スコロトロン、コロトロン等のコロナ放電手段が用いられるが、スコロトロン放電手段が好ましく用いられる。
【００２８】
露光手段３Ｙ，３Ｍ，３Ｃ，３Ｋとしては、レーザ、ＬＥＤアレイ等、画像データに従って発光する発光素子が用いられる。
【００２９】
ベルト状の中間転写体７は、半導電性であり、複数の支持ローラ７１，７２，７３，７４及びバックアップローラ７５等により巻回され、循環移動可能に支持される。本実施の形態では、中間転写体７は、支持ローラ７３，７４の間が平面状に支持されている。
【００３０】
画像形成部１０Ｙ，１０Ｍ，１０Ｃ，１０Ｋより形成された各色の画像は、回動する中間転写体７上に一次転写手段５Ｙ，５Ｍ，５Ｃ，５Ｋにより逐次転写されて（一次転写）、合成されたカラー画像が形成される。
【００３１】
給紙装置２０の用紙収納部（給紙カセット）２１内に収容された転写材Ｐは、給紙手段（第１給紙部）２２により給紙され、給紙ローラ２３，２４，２５、レジストローラ（第２給紙部）２６等を経て、二次転写手段８に搬送され、転写材Ｐ上にカラー画像が転写される（二次転写）。
【００３２】
カラー画像が転写された転写材Ｐは、定着装置１１により熱と圧力とを加えられ、転写材Ｐ上のカラートナー像（或いはトナー像）が定着されて転写材Ｐ上に固定され、排紙ローラ２７から排出され、機外の排紙トレイ２８上に載置される。
【００３３】
一方、二次転写手段８により転写材Ｐにカラー画像を転写した後、転写材Ｐを曲率分離した中間転写体７は、クリーニング手段６Ａにより残留トナーが除去される。
【００３４】
［一次転写手段］
イエロー色の画像を転写する一次転写手段５Ｙは、一次転写ローラ５ＹＡと、一次転写ローラ５ＹＡに電圧を印加する直流電源５ＹＥとから構成されている。一次転写ローラ５ＹＡは、中間転写体７を介して像担持体１Ｙに対向し、中間転写体７の内面に摺接する。直流電源５ＹＥは接地されている。
【００３５】
マゼンタ色の画像を転写する一次転写手段５Ｍは、一次転写ローラ５ＭＡと、一次転写ローラ５ＭＡに電圧を印加する直流電源５ＭＥとから構成されている。一次転写ローラ５ＭＡは、中間転写体７を介して像担持体１Ｍに対向し、中間転写体７の内面に摺接する。直流電源５ＭＥは接地されている。
【００３６】
シアン色の画像を転写する一次転写手段５Ｃは、一次転写ローラ５ＣＡと、一次転写ローラ５ＣＡに電圧を印加する直流電源５ＣＥとから構成されている。一次転写ローラ５ＣＡは、中間転写体７を介して像担持体１Ｃに対向し、中間転写体７の内面に摺接する。直流電源５ＣＥは接地されている。
【００３７】
黒色画像を転写する一次転写手段５Ｋは、一次転写ローラ５ＫＡと、一次転写ローラ５ＫＡに電圧を印加する直流電源５ＫＥとから構成されている。一次転写ローラ５ＫＡは、中間転写体７を介して像担持体１Ｋに対向し、中間転写体７の内面に摺接する。直流電源５ＫＥは接地されている。
【００３８】
一次転写手段５Ｙ，５Ｍ，５Ｃ，５Ｋの各直流電源５ＹＥ，５ＭＥ，５ＣＥ，５ＫＥには、電流値４０μＡ、電圧値＋１．５ｋＶが印加される。
【００３９】
また、一次転写手段５Ｙ，５Ｍ，５Ｃ，５Ｋは、一次転写時以外の場合には、図示しない駆動手段により移動され、中間転写体７の内面から離間して退避する。
【００４０】
［二次転写手段］
二次転写手段８は、バックアップローラ７５、二次転写ローラ８Ａ、等から構成されている。導電性材料から成るバックアップローラ７５は、直流電圧を印加する直流電源８Ｅに接続されている。直流電源８Ｅには、電流値５０μＡ、電圧値＋３ｋＶが印加される。
【００４１】
バックアップローラ７５は中間転写体７の内面に摺接し、中間転写体７を介して二次転写ローラ８Ａに対向する。二次転写ローラ８Ａは接地されている。
【００４２】
二次転写手段８のバックアップローラ７５は、一次転写ローラ５ＹＡ，５ＭＡ，５ＣＡ，５ＫＡとほぼ同じ構成をなし、中間転写体７の内面側に圧接する。
【００４３】
中間転写体７は、ポリアミドあるいはポリイミド等を材料とする単層又は多層ベルトで、体積抵抗率１０7〜１０12Ωｃｍのものが用いられている。
【００４４】
中間転写体７は、二次転写手段８により転写材Ｐに二次転写した後、クリーニング手段６Ａを通過してクリーニングされる。
【００４５】
図３はサイズの異なる転写材Ｐと、二次転写ローラ８Ａ、転写電界切換手段９を示す模式図である。図４（ａ）は転写材Ｐの搬送方向に直交する転写材幅を説明する模式図である。
【００４６】
Ａ６判サイズの転写材ＰＡの搬送方向に直交する長手方向の転写材幅ＷＡは１４８ｍｍである。Ａ４判サイズの転写材ＰＢの搬送方向に直交する短辺方向の転写材幅ＷＢは、２１０ｍｍである。Ａ４判サイズの転写材ＰＢの搬送方向に直交する長手方向の転写材幅ＷＣは、２９７ｍｍである。
【００４７】
図４（ｂ）は二次転写ローラ８Ａの側断面図、図４（ｃ）は芯金部材８１と第１の転写電界切換部材９Ａの側断面図である。
【００４８】
二次転写ローラ８Ａは、芯金部材８１、半導電性ローラ８２、転写電界切換部材９Ａ，９Ｂ，９Ｃ等から形成されている。
【００４９】
芯金部材８１は、軸方向に直列配置された複数の芯金８１Ａ、８１Ｂ１，８１Ｂ２，８１Ｃ１，８１Ｃ２と、複数の絶縁性部材絶縁性部材８３Ａ１，８３Ａ２，８３Ｂ１，８３Ｂ２等から構成され一体化されている。
【００５０】
中央の中空円筒状の芯金８１Ａの軸方向長さＬＡは１５０ｍｍであり、転写材幅ＷＡの１４８ｍｍよりやや長く形成されている。
【００５１】
芯金８１Ａの軸方向の左右両端に配置されたリング状の絶縁性部材８３Ａ１，８３Ａ２は、芯金８１Ａに隣接する芯金８１Ｂ１，８１Ｂ２とを隔離して絶縁状態に保持している。
【００５２】
中空円筒状の芯金８１Ｂ１，８１Ｂ２外側端面間の軸方向長さＬＢは２５０ｍｍであり、Ａ４判サイズの転写材ＰＣの短辺側の転写材幅ＷＢの２１０ｍｍより長く形成されている。
【００５３】
芯金８１Ｂ１，８１Ｂ２の軸方向の左右両端に配置されたリング状の絶縁性部材８３Ｂ１，８３Ｂ２は、芯金８１Ｂ１，８１Ｂ２と、これらに隣接する芯金８１Ｃ１，８１Ｃ２と、ローラ部８２Ｃ１，８２Ｃ２とを隔離して絶縁状態に保持している。
【００５４】
中空円筒状の芯金８１Ｃ１，８１Ｃ２の外側端面間の軸方向長さＬＣは３３０ｍｍであり、Ａ４判サイズの転写材ＰＣの長辺側の転写材幅ＷＣの２９７ｍｍより長く形成されている。
【００５５】
芯金８１Ａ，８１Ｂ１，８２Ｂ２，８２Ｃ１，８２Ｃ２は、ステンレス鋼によりで形成されている。ローラ部８２Ａ，８２Ｂ１，８２Ｂ２，８２Ｃ１，８２Ｃ２は、半導電性ＮＢＲソリッドゴム（アクリロニトリル・ブタジエンゴム）、体積抵抗値４×１０7Ωで形成されている。絶縁性部材８３Ａ１，８３Ａ２，８３Ｂ１，８３Ｂ２は、セラミクスで形成されている。
【００５６】
芯金８１Ｃ１の端部は軸受８４Ａによって回転可能に支持されている。芯金８１Ｃ１の最端部には歯車等の駆動伝達部材８５が固定され、図示しない駆動手段により回転される。芯金８１Ｃ２の端部は軸受８４Ｂによって回転可能に支持されている。
【００５７】
軸受８４Ａ，８４Ｂには、図示しない押圧手段により、白抜き矢印で示す荷重Ｆが加えられ、二次転写ローラ８Ａは中間転写体７を介してバックアップローラ７５を押圧し、圧力転写する。
【００５８】
直列配置された中空円筒状の芯金８１Ａ、８１Ｂ１，８１Ｂ２，８１Ｃ１，８１Ｃ２の内方には、３個の転写電界切換部材９Ａ，９Ｂ，９Ｃから成る転写電界切換手段９が配置されている。
【００５９】
第１の転写電界切換部材９Ａは、図４（ｃ）に示すように、導線９１Ａ、導線９１Ａの表面を被覆する絶縁性の被覆部材９２Ａ、導線９１Ａのほぼ中央部に接続し被覆部材９２Ａから突出している導通接片９３Ａから構成されている。
【００６０】
被覆部材９２Ａの両端部は、支持部材９４Ａ，９４Ｂにより支持、固定されている。導通接片９３Ａは弾性を有し、芯金８１Ａの軸方向の中央部付近の内周面を圧接している。導線９１Ａの一方の端部は、切換スイッチ９ＥＡに接続している。
【００６１】
図４（ｄ）は、３個の導通接片を有する第２の転写電界切換部材９Ｂの断面図である。
【００６２】
第２の転写電界切換部材９Ｂは、導線９１Ｂ、導線９１Ｂの表面を被覆する絶縁性の被覆部材９２Ｂ、導線９１Ｂのほぼ中央部に接続し被覆部材９２Ｂから突出している中央の導通接片９３Ｂ１、導線９１Ｂに接続し被覆部材９２Ｂから突出している左右の導通接片９３Ｂ２，９３Ｂ３から構成されている。
【００６３】
被覆部材９２Ｂの両端部は、被覆部材９２Ａと同様に支持部材９４Ａ，９４Ｂにより支持、固定されている。弾性を有する導通接片９３Ｂ１は、芯金８１Ａの軸方向の中央部付近の内周面を圧接する。弾性を有する導通接片９３Ｂ２は、芯金８１Ｂ１の軸方向の中央部付近の内周面を圧接している。弾性を有する導通接片９３Ｂ３は、芯金８１Ｂ２の軸方向の中央部付近の内周面を圧接する。導線９１Ｂの一方の端部は、切換スイッチ９ＥＢに接続している。
【００６４】
図４（ｅ）は、５個の導通接片を有する第３の転写電界切換部材９Ｃの断面図である。
【００６５】
第３の転写電界切換部材９Ｃは、導線９１Ｃ、導線９１Ｃの表面を被覆する絶縁性の被覆部材９２Ｃ、導線９１Ｃのほぼ中央部に接続し被覆部材９２Ｃから突出している中央の導通接片９３Ｃ１、導線９１Ｃに接続し被覆部材９２Ｃから突出している左右の導通接片９３Ｃ２，９３Ｃ３、その更に外側左右に配置された導通接片９３Ｃ４，９３Ｃ５から構成されている。
【００６６】
被覆部材９２Ｃの両端部は、被覆部材９２Ａ，９２Ｂと同様に、支持部材９４Ａ，９４Ｂにより支持、固定されている。
【００６７】
弾性を有する導通接片９３Ｃ１は、芯金８１Ａの軸方向の中央部付近の内周面を圧接する。弾性を有する導通接片９３Ｃ２は、芯金８１Ｂ１の軸方向の中央部付近の内周面を圧接している。弾性を有する導通接片９３Ｃ３は、芯金８１Ｂ２の軸方向の中央部付近の内周面を圧接する。弾性を有する導通接片９３Ｃ４は、芯金８１Ｃ１の軸方向の中央部付近の内周面を圧接する。弾性を有する導通接片９３Ｃ５は、芯金８１Ｃ２の軸方向の中央部付近の内周面を圧接している。導線９１Ｃの一方の端部は、切換スイッチ９ＥＣに接続している。
【００６８】
図４（ｆ）は、二次転写手段８の二次転写ローラ８Ａと転写電界切換手段９の断面構成図である。なお、転写材Ｐのサイズ設定数、二次転写ローラ８Ａの絶縁分割個数、及び転写電界切換部材（９ＥＡ，９ＥＢ，９ＥＣ等）の個数は、図４に限定されるものではない。
【００６９】
図５は、転写材のサイズ設定による転写ローラの接地選択制御を示すブロック図である。
【００７０】
転写材ＰＡ，ＰＢ，ＰＣの搬送方向に直交する転写材幅ＷＡ，ＷＢ，ＷＣの各信号に対応して、切換スイッチ９ＥＡ，９ＥＢ，９ＥＣの何れかを作動させ、複数の半導電性ローラ８２のうち、芯金８１Ａに対応するローラ部８２Ａ、芯金８１Ｂに対応するローラ部８２Ｂ１，８２Ｂ２、芯金８１Ｃに対応するローラ部８２Ｃ１，８２Ｃ２のうち、転写材ＰＡ，ＰＢ，ＰＣに接触する半導電性ローラの部分のみを接地させるように制御する。
【００７１】
例えば、Ａ６判の転写材ＰＡがカラー画像形成装置Ａの操作部による設定、又は自動選択手段による選択設定が行われると、制御手段ＣＣは切換スイッチ９ＥＡを作動させてオン状態となし、第１の転写電界切換部材９Ａの導線９１Ａ、導通接片９３Ａを介して、二次転写ローラ８Ａの芯金８１Ａ、ローラ８２Ａを接地状態にする。
【００７２】
接地状態になったローラ部８２Ａは、バックアップローラ７５に接続された直流電源８Ｅによって中間転写体７に転写電流が印加される。したがってローラ部８２Ａのみに転写電流が流れ、非通紙部の他のローラ部８２Ｂ１，８２Ｂ２，８２Ｃ１，８２Ｃ２への転写電流の流れ込みが防止され、転写不良が防止される。
【００７３】
同様にして、Ａ４判縦位置の転写材ＰＢが設定されると、制御手段ＣＣは切換スイッチ９ＥＢを作動させてオン状態となし、第２の転写電界切換部材９Ｂの導線９１Ｂ、導通接片９３Ｂを介して、芯金８１Ａ、８１Ｂ１，８１Ｂ２、ローラ部８２Ａ，８２Ｂ１，８２Ｂ２を接地状態にする。
【００７４】
接地状態になったローラ部８２Ａ，８２Ｂ１，８２Ｂ２は、バックアップローラ７５に接続された直流電源８Ｅによって中間転写体７に転写電流が印加される。したがって、ローラ部８２Ａ，８２Ｂ１，８２Ｂ２のみに転写電流が流れ、非通紙部の他のローラ部８２Ｃ１，８２Ｃ２への転写電流の流れ込みが防止され、転写不良が防止される。
【００７５】
同様にして、Ａ４判横位置の転写材ＰＣが設定されると、制御手段ＣＣは切換スイッチ９ＥＣを作動させてオン状態となし、第３の転写電界切換部材９Ｃの導線９１Ｃ、導通接片９３Ｃ１，９３Ｃ２，９３Ｃ３を介して、芯金８１Ａ、８１Ｂ１，８１Ｂ２，８１Ｃ１，８１Ｃ２、ローラ部８２Ａ，８２Ｂ１，８２Ｂ２，８２Ｃ１，８２Ｃ２を接地状態にする。
【００７６】
接地状態になったすべてのローラ部８２Ａ，８２Ｂ１，８２Ｂ２，８１Ｃ１，８１Ｃ２は、バックアップローラ７５に接続された直流電源８Ｅによって中間転写体７に転写電流が印加される。
【００７７】
このようにして、定電流制御によって圧接転写を行う場合、転写材Ｐの搬送方向に直交する幅寸法が半導電性ローラの幅に対して小さい場合、非通紙部に比べて通紙部の抵抗が大きくなるため、通紙部に流れるはずであった電流が非通紙部側に流れ込み、転写不良を発生するという問題が解消される。
【００７８】
特に、小サイズの用紙ＰＡの転写工程時に発生する非通紙部側への転写電流の流れ込みによる転写不良の防止され、良質な画像が得られる。
【００７９】
なお、図３、図４では、ＪＩＳ  Ａ系列の転写材ＰＡ，ＰＢ，ＰＣに対応した二次転写ローラ８Ａについて説明したが、Ｂ系列の転写材、例えばＢ４判、Ｂ５判、Ｂ６判の転写材についても同様に二次転写ローラ８Ａを構成する事ができる。即ち、Ａ系列、Ｂ系列を含めて合計６種類の転写材サイズに対応して二次転写ローラ８Ａを、１１個の半導電性ローラに分割して、転写電界切換部材によりそれぞれ接地することも可能である。
【実施例】
【００８０】
以下、実施例をあげて本発明を具体的に説明するが、本発明はこれに限定されるものではない。本実施例では、図２及び図３に示した一次転写手段５Ｙ，５Ｍ，５Ｃ，５Ｋ、及び二次転写手段８を配設したカラー画像形成装置Ａで画像を形成した。
【００８１】
［画像形成条件］
画像形成装置：タンデム型フルカラー複写機（コニカミノルタ８０５０（登録商標）改造機、図２参照）、連続複写速度：フルカラーモード、Ａ４判用紙で毎分５１枚出力
像担持体１Ｙ，１Ｍ，１Ｃ，１Ｋ：外径φ６０ｍｍ
転写材Ｐの搬送線速度：２２０ｍｍ／ｓｅｃ
現像剤：キャリアの平均粒径２０〜６０μｍ、重合トナーの平均粒径３〜７μｍ
帯電手段２Ｙ，２Ｍ，２Ｃ，２Ｋ：帯電電圧Ｖ０は−７００Ｖ（可変：左記は標準値）
露光手段３Ｙ，３Ｍ，３Ｃ，３Ｋ：半導体レーザ（波長７８０ｎｍ）、露光時の像形成体表面電位Ｖｉは−５０Ｖ
現像手段４Ｙ，４Ｍ，４Ｃ，４Ｋ：現像スリーブの電位Ｖｄｃは−５００Ｖ（可変：左記は標準値）、現像バイアス電圧交流成分Ｖａｃは１ｋＶｐ−ｐの矩形波（周波数５ｋＨｚ）
一次転写ローラ５ＹＡ，５ＭＡ，５ＣＡ，５ＫＡ：導電性発泡ローラ使用、外径φ２０ｍｍ、ローラ押圧５Ｎ（ニュートン）、転写電流４０μＡ、転写電圧＋１．５ｋＶを印加、体積抵抗値１０6Ω、温湿度とカウンターでマトリックスを組んだ電流値テーブルから所定の電流値を選択して直流電源５ＹＥ，５ＭＥ，５ＣＥ，５ＫＥにより印加する。
【００８２】
本実施例では、図１及び図２に示した二次転写手段８を配設したカラー画像形成装置Ａで画像を形成した。
【００８３】
中間転写体７：ポリイミド樹脂、シームレス半導電性ベルト（表面抵抗率１０11Ωｃｍ、体積抵抗率１０8Ωｃｍ）、張架テンション５０Ｎ、線速２２０ｍｍ／秒、
二次転写手段８：中間転写体７をバックアップローラ７５と二次転写ローラ８Ａとで挟み込んだ構成で、電気抵抗値はともに１×１０7Ω、温湿度とカウンターでマトリックスを組んだ電流値テーブルから所定の電流値を選択して直流電源８Ｅにより印加する。
【００８４】
押圧力Ｆ：５０Ｎ（ニュートン）、転写材搬送方向ニップ幅：３ｍｍ
二次転写ローラ８Ａ：半導電性ＮＢＲソリッドゴム（アクリロニトリル・ブタジエンゴム）、体積抵抗値４×１０7Ω、外径φ３０ｍｍ、芯金部材８１の外径φ３０ｍｍ、芯金部材８１の外径φ１６ｍｍ、絶縁性部材はセラミックス、
二次転写ローラ８Ａの半導電性ローラの軸方向長さ：ＬＡ＝１５０ｍｍ、ＬＢ＝２５０ｍｍ、ＬＣ＝３３０ｍｍ、
転写電界切換部材９Ａ，９Ｂ，９Ｃ：固定設置、導通接片の数、１，３，５
切換スイッチ９ＥＡ，９ＥＢ，９ＥＣ：フロート、接地の切り換え
以上の条件により二次転写手段８における二次転写ローラ８Ａとバックアップローラ７５に対向する二次転写ローラ８Ａの電気抵抗特性及び荷重特性について検討した。
【００８５】
［実施例］
二次転写ローラ８Ａの半導電性ローラ８２のローラ部８２Ａ，８２Ｂ１，８２Ｂ２，８２Ｃ１，８２Ｃ２を転写材幅に対応して選択設定する。
【００８６】
（Ａ１）  二次転写位置に搬送される転写材Ｐが、Ａ６判サイズで搬送方向に直交する用紙幅ＷＡが１４８ｍｍである転写材ＰＡの場合には、切換スイッチ９ＥＡを作動させてオンとなし、軸方向長さＬＡが１５０ｍｍの軸方向中央のローラ部８２Ａのみを接地状態となし、電流値テーブルによって設定された電気抵抗値を通電する直流電源８Ｅによって電流を流した結果、転写不良は発生しなかった。
【００８７】
（Ｂ１）  二次転写位置に搬送される転写材Ｐが、Ａ４判サイズで搬送方向に直交する用紙幅ＷＢが２１０ｍｍである転写材ＰＢの場合には、軸方向長さＬＢが２５０ｍｍである３個のローラ部８２Ａ，８２Ｂ１，８２Ｂ２を接地状態となし、電流値テーブルによって設定された電気抵抗値を通電する直流電源８Ｅによって電流を流した結果、転写不良は発生しなかった。
【００８８】
（Ｃ１）  二次転写位置に搬送される転写材Ｐが、Ａ４判又はＡ３判サイズで搬送方向に直交する用紙幅ＷＣが２９７ｍｍである大サイズの転写材ＰＣの場合には、軸方向長さＬＣが３３０ｍｍｍｍである５個のローラ部８２Ａ，８２Ｂ１，８２Ｂ２，８２Ｃ１，８２Ｃ２を接地状態となし、電流値テーブルによって設定された電気抵抗値を通電する直流電源８Ｅによって電流を流した結果、転写不良は発生しなかった。
【００８９】
［比較例］
１本の半導電性ローラから成る二次転写ローラを使用する。
【００９０】
（Ａ２）  二次転写位置に搬送される転写材Ｐが、Ａ６判サイズで搬送方向に直交する用紙幅ＷＡが１４８ｍｍである転写材ＰＡの場合には、導電層の軸方向の長さが３３０ｍｍの１本の二次転写ローラでは、電流値テーブルによって設定された電気抵抗値を通電した場合、通紙部に流れるはずであった電流が非通紙部側に流れ込み、転写不良が発生した。
【００９１】
（Ｂ２）  二次転写位置に搬送される転写材Ｐが、Ａ４判サイズで搬送方向に直交する用紙幅ＷＢが２１０ｍｍである転写材ＰＢの場合には、導電層の軸方向の長さが３３０ｍｍの１本の二次転写ローラでは、電流値テーブルによって設定された電気抵抗値を通電した場合、通紙部に流れるはずであった電流が非通紙部側に流れ込み、転写不良が発生した。
【００９２】
（Ｃ２）  二次転写位置に搬送される転写材Ｐが、Ａ４判又はＡ３判サイズで搬送方向に直交する用紙幅ＷＣが２９７ｍｍである大サイズの転写材ＰＣの場合には、弾性層の軸方向の長さが３３０ｍｍの１本の二次転写ローラでは、電流値テーブルによって設定された電気抵抗値を通電した時、転写不良は発生しなかった。
【００９３】
なお、本実施の形態では、中間転写体７として中間転写ベルトを用いた例について説明したが、本発明は、他の形状の中間転写体を用いるものにも適用する事が出来る。また、中間転写体７の電気特性、厚さ、層構成、材料等は、作像条件などにより選択して採用する事が出来る。
【図面の簡単な説明】
【００９４】
【図１】本発明の実施の形態に係るカラー画像形成装置の全体構成を示す断面図。
【図２】該カラー画像形成装置の要部を示す断面図。
【図３】サイズの異なる転写材、転写ローラ、転写電界切換部材を示す模式図。
【図４】写材幅を説明する模式図、二次転写ローラの側断面図、芯金部材と第１の転写電界切換部材の側断面図、第２の転写電界切換部材の断面図、第３の転写電界切換部材の断面図、二次転写ローラと転写電界切換手段の断面構成図。
【図５】転写材のサイズ設定による転写ローラの接地選択制御を示すブロック図。
【符号の説明】
【００９５】
５Ｙ，５Ｍ，５Ｃ，５Ｋ  一次転写手段
７  中間転写体（トナー像担持体）
７５  バックアップローラ
８  二次転写手段
８Ａ  二次転写ローラ
８１  芯金部材
８１Ａ，８１Ｂ１，８１Ｂ２，８１Ｃ１，８１Ｃ２  芯金
８２  半導電性ローラ
８２Ａ，８２Ｂ１，８２Ｂ２，８２Ｃ１，８２Ｃ２  ローラ部
８３Ａ１，８３Ａ２，８３Ｂ１，８３Ｂ２  絶縁性部材
８Ｅ  直流電源
９  転写電界切換手段
９Ａ  第１の転写電界切換部材
９Ｂ  第２の転写電界切換部材
９Ｃ  第３の転写電界切換部材
９１Ａ，９１Ｂ，９１Ｃ  導線
９２Ａ，９２Ｂ，９２Ｃ  被覆部材
９３Ａ，９３Ｂ１，９３Ｂ２，９３Ｂ３  導通接片
９３Ｃ１，９３Ｃ２，９３Ｃ３，９３Ｃ４，９３Ｃ５  導通接片
９ＥＡ，９ＥＢ，９ＥＣ  切換スイッチ
Ａ  カラー画像形成装置
ＣＣ  制御手段
Ｆ  荷重
ＬＡ，ＬＢ，ＬＣ  軸方向長さ
Ｐ，ＰＡ，ＰＢ，ＰＣ  転写材
ＷＡ，ＷＢ，ＷＣ  転写材幅
【図１】
2006337455.tif 000003
【図２】
2006337455.tif 000004
【図３】
2006337455.tif 000005
【図４】
2006337455.tif 000006
【図５】
2006337455.tif 000007